(57)【要約】【課題】特定の無線アクセスポイントの無線通信エリア内に存在する無線端末の無線端末情報を把握可能にする。【解決手段】構内通信制御装置１００と内線電話機２００−ａ〜２００−ｎと無線アクセスポイント３００−ａ〜３００−ｎと無線端末４００−ａ〜４００−ｎからなる無線端末システムにおいて、内線電話機または無線端末の発信元から特定エリアを指定した無線端末情報通知要求があった時、無線アクセスポイントは該当無線アクセスポイントの通信エリア内に存在する無線端末機の情報を収集し、構内通信制御装置は、無線アクセスポイントより通知されてきた無線端末情報を発信元へ送信し、それを受信した発信元は表示画面より接続を行う無線端末を選択し、呼出しおよび通話を行う。【選択図】図１
2007306103.tif 000002
【特許請求の範囲】
【請求項１】
外線及び内線と接続される構内通信制御装置と前記構内通信制御装置に接続される１以上の内線電話機と前記構内通信制御装置に接続される１以上の無線アクセスポイントと前記無線アクセスポイントと無線接続される１以上の無線端末からなる無線端末システムにおいて、前記無線アクセスポイントの無線通信エリア内に存在する無線端末の無線端末情報を収集するエリア内無線端末情報収集手段と、前記無線アクセスポイントの各無線通信範囲をエリアで管理する無線通信エリア管理手段を具備し、発信元からエリアを指定した無線端末情報通知要求があった時、前記無線通信エリア管理手段は前記エリアに対応した無線アクセスポイントを検索し、前記エリア内無線端末情報収集手段は前記検索した無線アクセスポイントの無線通信エリア内に存在する無線端末の無線端末情報を収集し、収集した前記無線端末情報を前記構内通信制御装置が前記発信元に通知し、前記発信元から前記無線端末情報に含まれる全無線端末の一斉呼出要求があった時、前記無線通信エリア管理手段は前記検索した無線アクセスポイントを介して前記全無線端末を一斉に呼出し、呼出しに最初に応答した無線端末と前記発信元とを接続することを特徴とする特定エリア呼出し機能を有する無線端末システム。
【請求項２】
請求項１記載の特定エリア呼出し機能を有する無線端末システムにおいて、前記発信元は、通知された前記無線端末情報を表示する表示手段を具備し、前記表示手段より前記全無線端末の一斉呼出要求を行うことを特徴とする特定エリア呼出し機能を有する無線端末システム。
【請求項３】
請求項１記載の特定エリア呼出し機能を有する無線端末システムにおいて、前記発信元は、通知された前記無線端末情報を表示する表示手段を具備し、前記表示手段より前記全無線端末の内の特定無線端末の呼出要求を行い、前記無線通信エリア管理手段は前記検索した無線アクセスポイントを介して前記特定無線端末を呼出し、呼出しに応答した前記特定無線端末と前記発信元とを接続することを特徴とする特定エリア呼出し機能を有する無線端末システム。
【請求項４】
請求項１記載の特定エリア呼出し機能を有する無線端末システムにおいて、前記エリア内無線端末機情報収集手段は当該無線アクセスポイントから無線端末情報送信要求コマンドを送信し、前記無線端末情報送信要求コマンドを受信した無線端末は自端末ＩＤ信号を含む無線端末情報を前記無線アクセスポイントを介して前記エリア内無線端末情報収集手段に送信することを特徴とする特定エリア呼出し機能を有する無線端末システム。
【請求項５】
請求項１記載の特定エリア呼出し機能を有する無線端末システムにおいて、前記無線アクセスポイントは帰属中の無線端末の無線端末情報を管理する帰属無線端末管理手段を具備し、前記エリア内無線端末情報収集手段は当該無線アクセスポイントの前記帰属無線端末管理手段が管理する無線端末の無線端末情報を収集することを特徴とする特定エリア呼出し機能を有する無線端末システム。
【請求項６】
請求項２または３記載の特定エリア呼出し機能を有する無線端末システムにおいて、前記無線アクセスポイントとその無線通信エリア内の各無線端末との無線通信における電波強度を測定する電波強度測定手段を具備し、前記エリア内無線端末情報収集手段は前記測定した電波強度を含む無線端末の無線端末情報を収集し、前記発信元は前記電波強度を含む無線端末情報を表示することを特徴とする特定エリア呼出し機能を有する無線端末システム。
【発明の詳細な説明】
【技術分野】
【０００１】
本発明は、例えば事業所用電話機システムにおいて特定エリア内にいる無線端末例えば無線電話機を検索して呼出しを行う無線端末システムに関するものである。
【背景技術】
【０００２】
事業所用電話機システムにおいて、自分の席よりはなれた場所に用件があった場合、自らその場所へ行くか内線番号に電話をかける必要がある。
【０００３】
しかし、電話をかけた場所が不在であったり、誰か人がいたとしても不特定の人が電話を取ることになる。そのため、急ぎでその場所に用件がある場合、電話を取った人に用件を伝え難い状況や不通となっていた。
【０００４】
この改善策として、構内交換機とそれに接続された固有のＩＤ番号をもった基地局と同じく固有のＩＤ番号をもった無線端末とで無線で通信を行い、基地局側で受信した無線端末のＩＤ番号と基地局の設置位置を表示画面に備えた構内交換機にその無線端末の位置情報を表示することにより、無線端末を持ち歩いている人の位置を把握する技術が、例えば特許文献１に記載されている。
【０００５】
【特許文献１】特開２００３−３２３７４号公報
【発明の開示】
【発明が解決しようとする課題】
【０００６】
しかしながら、上記の技術は無線端末の位置情報を把握するものであり、ある特定の基地局（無線アクセスポイント）を指定して、その無線通信エリア内に存在する無線端末の無線端末情報を把握できるものではなかった。
【０００７】
本発明の目的は、特定の無線アクセスポイントの無線通信エリア内に存在する無線端末の無線端末情報を把握可能な特定エリア呼出し機能を有する無線端末システムを提供することにある。
【課題を解決するための手段】
【０００８】
第１の本発明は、外線及び内線と接続される構内通信制御装置と前記構内通信制御装置に接続される１以上の内線電話機と前記構内通信制御装置に接続される１以上の無線アクセスポイントと前記無線アクセスポイントと無線接続される１以上の無線端末からなる無線端末システムにおいて、前記無線アクセスポイントの無線通信エリア内に存在する無線端末の無線端末情報を収集するエリア内無線端末情報収集手段と、前記無線アクセスポイントの各無線通信範囲をエリアで管理する無線通信エリア管理手段を具備し、発信元からエリアを指定した無線端末情報通知要求があった時、前記無線通信エリア管理手段は前記エリアに対応した無線アクセスポイントを検索し、前記エリア内無線端末情報収集手段は前記検索した無線アクセスポイントの無線通信エリア内に存在する無線端末の無線端末情報を収集し、収集した前記無線端末情報を前記構内通信制御装置が前記発信元に通知し、前記発信元から前記無線端末情報に含まれる全無線端末の一斉呼出要求があった時、前記無線通信エリア管理手段は前記検索した無線アクセスポイントを介して前記全無線端末を一斉に呼出し、呼出しに最初に応答した無線端末と前記発信元とを接続することを特徴とする。
【０００９】
第２の本発明は、上記第１の本発明において、前記発信元は、通知された前記無線端末情報を表示する表示手段を具備し、前記表示手段より前記全無線端末の一斉呼出要求を行うことを特徴とする。
【００１０】
第３の本発明は、上記第１の本発明において、前記発信元は、通知された前記無線端末情報を表示する表示手段を具備し、前記表示手段より前記全無線端末の内の特定無線端末の呼出要求を行い、前記無線通信エリア管理手段は前記検索した無線アクセスポイントを介して前記特定無線端末を呼出し、呼出しに応答した前記特定無線端末と前記発信元とを接続することを特徴とする。
【００１１】
第４の本発明は、上記第１の本発明において、前記エリア内無線端末機情報収集手段は当該無線アクセスポイントから無線端末情報送信要求コマンドを送信し、前記無線端末情報送信要求コマンドを受信した無線端末は自端末ＩＤ信号を含む無線端末情報を前記無線アクセスポイントを介して前記エリア内無線端末情報収集手段に送信することを特徴とする。
【００１２】
第５の本発明は、上記第１の本発明において、前記無線アクセスポイントは帰属中の無線端末の無線端末情報を管理する帰属無線端末管理手段を具備し、前記エリア内無線端末情報収集手段は当該無線アクセスポイントの前記帰属無線端末管理手段が管理する無線端末の無線端末情報を収集することを特徴とする。
【００１３】
第６の本発明は、上記第２または第３の本発明において、前記無線アクセスポイントと前記エリア内の各無線端末との無線通信における電波強度を測定する電波強度測定手段を具備し、前記エリア内無線端末情報収集手段は前記測定した電波強度を含む無線端末の無線端末情報を収集し、前記発信元は前記電波強度を含む無線端末情報を表示することを特徴とする。
【発明の効果】
【００１４】
本発明によれば、特定の無線アクセスポイントの無線通信エリア内に存在する無線端末の無線端末情報を把握可能な特定エリア呼出し機能を有する無線端末システムを得ることができる。
【発明を実施するための最良の形態】
【００１５】
以下、本発明の実施の形態を、図面を参照して説明する。
【００１６】
図１は、本発明による特定エリア呼出し機能を有する無線端末システムの実施の形態の構成図である。
【００１７】
図１において、無線端末システムは、外線及び内線と接続される構内通信制御装置１００と、構内通信制御装置１００に接続されるｎ個（ｎは正の整数）の内線電話機２００−ａ，…，２００−ｎと、構内通信制御装置１００に接続されるｎ個の無線アクセスポイント３００−ａ，３００−ｂ，…，３００−ｎと、ｎ個の無線アクセスポイント３００−ａ，３００−ｂ，…，３００−ｎと無線接続されるｎ個の無線端末４００−ａ，４００−ｂ，…，４００−ｎからなる。
【００１８】
構内通信制御装置１００は、通常の通信機能の他に、無線アクセスポイント３００−ａ，３００−ｂ，…，３００−ｎの無線通信エリア内に存在する無線端末４００−ａ，４００−ｂ，…，４００−ｎの無線端末情報を収集するエリア内無線端末情報収集手段１１０を具備する。
【００１９】
発信元の内線電話機２００−ａ，…，２００−ｎおよび無線端末４００−ａ，４００−ｂ，…，４００−ｎの一つからの、検索したい特定呼出しエリアを指定した無線端末情報通知要求があった時、無線通信エリア管理手段１１０は、指定された特定呼出しエリアに対応する無線アクセスポイント例えば３００−ａを検索し、その無線アクセスポイント３００−ａへ、その呼出しエリア内に存在する無線端末図１では無線端末４００−ａ，４００−ｂの無線端末情報を送信するように命令を出す。
【００２０】
また無線通信エリア管理手段１１０は、無線アクセスポイント３００−ａ，３００−ｂ，…，３００−ｎから送信されてきた各無線アクセスポイント３００−ａ，３００−ｂ，…，３００−ｎで受信している無線端末４００−ａ，４００−ｂ，…，４００−ｎの無線端末情報を、図示していない記憶部に図３の構成で記憶するまたは記憶している場合は記憶情報の内容を更新する。その後、構内通信制御装置１００が無線端末情報を発信元へ通知する。
【００２１】
発信元の内線電話機２００−ａ，…，２００−ｎ（および無線端末４００−ａ，４００−ｂ，…，４００−ｎ）は、各々、呼出しエリアを指定した無線端末情報通知要求を行う無線端末情報通知要求手段２１０−ａ，…，２１０−ｎ（４１０−ａ，４１０−ｂ，…，４１０−ｎ）と、通知された無線端末情報を表示する無線端末情報表示手段２２０−ａ，…，２２０−ｎ（４２０−ａ，４２０−ｂ，…，４２０−ｎ）を具備する。
【００２２】
無線端末情報通知要求手段２１０−ａ，…，２１０−ｎ（４１０−ａ，４１０−ｂ，…，４１０−ｎ）より、呼出しエリアを指定した無線端末情報通知要求を構内通信制御装置１００へ送信する。また構内通信制御装置１００から通知された無線端末情報を、無線端末情報表示手段２２０−ａ，…，２２０−ｎ（４２０−ａ，４２０−ｂ，…，４２０−ｎ）で表示して、無線端末情報に含まれる全無線端末を一斉に呼出すか特定無線端末を呼出す操作を行う。
【００２３】
無線アクセスポイント３００−ａ，３００−ｂ，…，３００−ｎは、各々、無線での送受信可能な呼出しエリア３０１−ａ，３０１−ｂ，…，３０１−ｎがある。
【００２４】
この無線アクセスポイント３００−ａ，３００−ｂ，…，３００−ｎは、無線端末４００−ａ，４００−ｂ，…，４００−ｎと無線で接続されるハンドオーバー対応の基地局であり、構内通信制御装置１００とは回線ケーブルで接続されており、唯一のＩＤ番号をもっている。また無線アクセスポイント３００−ａ，３００−ｂ，…，３００−ｎの設置場所の名称と個別のＩＤ番号はセットで、予め構内通信制御装置１００へ記憶してある。
【００２５】
無線アクセスポイント３００−ａ，３００−ｂ，…，３００−ｎは、無線アクセスポイントの無線通信エリア内に存在する無線端末の無線端末情報を収集するエリア内無線端末情報収集手段３１０−ａ，３１０−ｂ，…，３１０−ｎと、無線アクセスポイントとその無線通信エリア内の各無線端末との無線通信における電波強度を測定する電波強度測定手段３２０−ａ，３２０−ｂ，…，３２０−ｎと、帰属中の無線端末の無線端末情報を管理する帰属無線端末管理手段３３０−ａ，３３０−ｂ，…，３３０−ｎを具備する。
【００２６】
無線アクセスポイント３００−ａ，３００−ｂ，…，３００−ｎは、構内通信制御装置１００から呼出しエリア３０１−ａ，３０１０−ｂ，…，３０１−ｎに存在する無線端末４００−ａ，４００−ｂ，…，４００−ｎの無線端末情報を収集して通知する様命令があった場合、呼出しエリア内の無線端末へ、無線端末情報を送信する様無線端末情報送信要求コマンドを送信する。
【００２７】
また無線アクセスポイント３００−ａ，３００−ｂ，…，３００−ｎは、呼出しエリア内の無線端末から受信した自端末ＩＤ番号を含む無線端末情報を、帰属無線端末管理手段３３０−ａ，３３０−ｂ，…，３３０−ｎで管理する。
【００２８】
さらに無線アクセスポイント３００−ａ，３００−ｂ，…，３００−ｎとその無線通信エリア内の各無線端末との無線通信における電波強度を、電波強度測定手段３２０−ａ，３２０−ｂ，…，３２０−ｎで測定する。
【００２９】
そして、エリア内無線端末情報収集手段３１０−ａ，３１０−ｂ，…，３１０−ｎは、帰属無線端末管理手段３３０−ａ，３３０−ｂ，…，３３０−ｎが管理する無線端末の無線端末情報と、電波強度測定手段３２０−ａ，３２０−ｂ，…，３２０−ｎで測定した、当該無線アクセスポイントとその無線通信エリア内の各無線端末との無線通信における電波強度を収集して、構内通信制御装置１００へ送信する。
【００３０】
無線端末４００−ａ，４００−ｂ，…，４００−ｎは、無線アクセスポイント３００−ａ，３００−ｂ，…，３００−ｎと無線で接続可能なハンドオーバー機能を有した移動無線端末であり、自端末ＩＤ番号をもっている。これら無線端末４００−ａ，４００−ｂ，…，４００−ｎは、無線アクセスポイント３００−ａ，３００−ｂ，…，３００−ｎから無線端末情報送信要求コマンドを受信した場合、自端末ＩＤ番号を含む無線端末情報を要求元の無線アクセスポイントへ送信する。
【００３１】
なお、無線端末４００−ａ，４００−ｂ，…，４００−ｎは、それぞれ、自端末ＩＤ番号と内線番号と使用者名をセットで、予め構内通信制御装置１００へ記憶してある。
【００３２】
次に、本発明による特定エリア呼出し機能を有する無線端末システムの具体的な例を説明する。
【００３３】
図１に示す無線端末システムの構成図において、発信元の内線電話機２００−ａより、無線アクセスポイント３００−ａ（例として、ＩＤ番号１１１１１１１１１が登録され、設置場所を図書室とする。）の呼出しエリア３０１−ａを呼出し、呼出しエリア３０１−ａ内に、無線端末４００−ａ（例として、ＩＤ番号：１１１１１２２２２、内線番号：１０  使用者名：○×△  太郎）と、無線端末４００−ｂ（例として、ＩＤ番号：２２２２２３３３３、内線番号：１５  使用者名：○×△  花子）が存在する場合について説明する。
【００３４】
発信元の内線電話機２００−ａより特定エリア検索モードに入り、構内通信制御装置１００より送信されてきた呼出しエリア対応無線アクセスポイント名一覧を、無線端末情報表示手段２２０−ａの表示画面に表示する。一例を図２Ａに示す。この表示画面より希望する呼出しエリア対応無線アクセスポイントを選択して指定する。今回は、無線アクセスポイント３００−ａに割り当てられている図書室を選択して指定して、無線端末情報通知要求を無線端末情報通知要求手段２１０−ａより構内通信制御装置１００へ行う。
【００３５】
構内通信制御装置１００は、無線通信エリア管理手段１１０において、無線端末情報通知要求された図書室である無線アクセスポイント３００−ａを検索し、検索した無線アクセスポイント３００−ａに対して、エリア内の無線端末から無線端末機情報を収集する様命令を出し、それを受けた無線アクセスポイント３００−ａは、エリア内の無線端末４００−ａと４００−ｂへ、無線端末機情報を送信する様無線端末情報送信要求コマンドを送信し、無線端末４００−ａと４００−ｂは自端末ＩＤ番号を含む無線端末情報を無線アクセスポイント３００−ａへ送信する。
【００３６】
無線アクセスポイント３００−ａは、受信した自端末ＩＤ番号を含む無線端末情報と電波強度測定手段３２０−ａで測定した電波強度を構内通信制御装置１００へ送信し、構内通信制御装置１００は無線通信エリア管理手段１１０において記憶部に図３の構成で記憶するまたは記憶している場合は記憶情報の内容を更新し、その記憶情報を発信元の内線電話機２００−ａへ送信する。発信元の内線電話機２００−ａは無線端末表示手段２２０−ａの表示画面に送信された電波強度を含む無線端末情報を表示する。一例を図２Ｂに示す。
【００３７】
内線電話機２００−ａは、図２Ｂに示した表示より、全無線端末一斉が選択され発信操作されることで一斉呼出しを行ったり、特定無線端末が選択され発信操作されることで特定無線端末の呼出しを行うことができる。
【００３８】
内線電話機２００−ａは、全無線端末一斉が選択され発信操作されると、無線端末４００−ａと４００−ｂの両方へ呼出しを行い、呼出に最初にオフフックして応答した無線端末例えば４００−ａと優先的に接続し、通話へと移行する。
【００３９】
内線電話機２００−ａは、特定無線端末が選択され発信操作されると選択された特定無線端末例えば４００−ｂへ呼出しを行い、通話へ移行する。
【００４０】
図４Ａ，図４Ｂは、本発明による特定エリア呼出し機能を有する無線端末システムの実施の形態の動作フローチャートの一例を示す図である。なお、Ｓ４７はＳ４８へステップし、Ｓ５９はＳ６０へステップする。
【００４１】
内線電話機例えば２００−ａより特定エリア検索モードに入り、例えば図２Ａの表示画面より希望する呼出しエリア対応無線アクセスポイントを選択して指定し、無線端末情報通知要求を、構内通信制御装置１００へ送信する（Ｓ４０）。
【００４２】
構内通信制御装置１００は、無線通信エリア管理手段１１０において、無線端末情報通知要求された呼出しエリア対応無線アクセスポイント例えば３００−ａを検索し、検索した無線アクセスポイント３００−ａに対して、エリア内の無線端末から無線端末情報を収集する様命令を出す（Ｓ４１）。
【００４３】
無線アクセスポイント３００−ａは、エリア内に存在する例えば無線端末４００−ａと４００−ｂへ、無線端末情報を送信する様無線端末情報送信要求コマンドを送信する（Ｓ４２）。
【００４４】
無線端末４００−ａと４００−ｂは要求元の無線アクセスポイント３００−ａへ自端末ＩＤ番号を含む無線端末情報を送信する（Ｓ４３）。
【００４５】
無線アクセスポイント３００−ａは、要求元の構内通信制御装置１００へ、受信した自端末ＩＤ番号を含む無線端末情報と電波強度測定手段３２０−ａで測定した電波強度を送信する（Ｓ４４）。
【００４６】
要求元の構内通信制御装置１００は、無線通信エリア管理手段１１０において受信した自端末ＩＤ番号及び電波強度を含む無線端末情報を記憶部に記憶するまたは記憶している場合は記憶情報の内容を更新する（Ｓ４５）。
【００４７】
次に構内通信制御装置１００は記憶部より、該当無線アクセスポイント３００−ａが記憶している自端末ＩＤ番号及び電波強度を含む無線端末情報を読み出す（Ｓ４６）。
次に構内通信制御装置１００は自端末ＩＤ番号及び電波強度を含む無線端末情報があるかを確認する（Ｓ４９）。ない場合はＳ４０へ戻る。ある場合、構内通信制御装置１００は自端末ＩＤ番号及び電波強度を含む無線端末情報を発信元の内線電話機２００−ａに送信する（Ｓ５０）。
【００４８】
内線電話機２００−ａは無線端末表示手段２２０−ａの表示画面に送信された自端末ＩＤ番号及び電波強度を含む無線端末情報を例えば図２Ｂのように表示する（Ｓ５１）。
次に内線電話機２００−ａは、図２Ｂに示した表示より、全無線端末一斉か特定無線端末が選択されたかを判断する（Ｓ５２）。
【００４９】
選択ありの場合、内線電話機２００−ａは構内通信制御装置１００に発信する発信処理を行う（Ｓ５３）。すると、構内通信制御装置１００は内線電話機２００−ａと該当無線アクセスポイント３００−ａ間を接続する接続処理を行い（Ｓ５４）、無線アクセスポイント３００−ａより、図２Ｂでの選択に応じて、全無線端末一斉か特定無線端末を呼出す呼出し処理を行う（Ｓ５５）。
【００５０】
次に、無線アクセスポイント３００−ａは、呼出しが全無線端末一斉の場合は最初に応答した無線端末があったか、呼出しが特定無線端末の場合はその特定無線端末の応答があったかを判断する（Ｓ５６）。
応答した場合通話（Ｓ５７）にし、切断されると通話切断（Ｓ５８）を行う。
【００５１】
本実施の形態によれば、特定の無線アクセスポイントの無線通信エリア内に存在する無線端末の無線端末情報を把握することができる。
【００５２】
したがって、目的とする無線通信エリアから離れていても、内線電話機または無線端末から呼出しエリアに対応した無線アクセスポイントを検索することで、該当無線アクセスポイントのエリア内に存在する全無線端末を容易に把握できる。このことにより、全無線端末を一斉に呼出し、呼出しに最初に応答した無線端末と前記発信元とを接続することで、例えば緊急情報を迅速に連絡することができる。また特定の無線端末と連絡を取り、要件を伝えることで迅速な対応を取ることが可能である。
【００５３】
また、本実施の形態では、発信元の内線電話機または無線端末に通知される無線端末情報に、該当無線アクセスポイントと各無線端末との無線通信における電波強度を含めることで、発信元では電波強度の大小に応じて無線端末を取捨選択し、無線端末の所有者への用件の依頼または向かわせることができ、より迅速な対応が可能である。
【図面の簡単な説明】
【００５４】
【図１】本発明による特定エリア呼出し機能を有する無線端末システムの実施の形態の構成図である。
【図２Ａ】発信元の例えば内線電話機の表示画面に表示された呼出しエリア対応無線アクセスポイント名一覧の一例を示す図である。
【図２Ｂ】図２Ａの表示画面において選択し指定した呼出しエリア対応無線アクセスポイントからの無線端末機情報の一例を示す図である。
【図３】構内通信制御装置に記憶される無線端末情報の構成例を示す図である。
【図４Ａ】本発明による特定エリア呼出し機能を有する無線端末システムの実施の形態の動作フローチャートの一例を示す図である。
【図４Ｂ】本発明による特定エリア呼出し機能を有する無線端末システムの実施の形態の動作フローチャートの一例を示す図である。
【符号の説明】
【００５５】
１００：構内通信制御装置、１１０：エリア内無線端末情報収集手段、２００−ａ，…，２００−ｎ：内線電話機、２１０−ａ，…，２１０−ｎ：無線端末情報通知要求手段、２２０−ａ，…，２２０−ｎ：無線端末情報表示手段、３００−ａ，３００−ｂ，…，３００−ｎ：無線アクセスポイント、３０１−ａ，３０１−ｂ，…，３０１−ｎ：呼出しエリア、３１０−ａ，３１０−ｂ，…，３１０−ｎ：エリア内無線端末情報収集手段、３２０−ａ，３２０−ｂ，…，３２０−ｎ：電波強度測定手段、３３０−ａ，３３０−ｂ，…，３３０−ｎ：帰属無線端末管理手段、４００−ａ，４００−ｂ，…，４００−ｎ：無線端末、４１０−ａ，４１０−ｂ，…，４１０−ｎ：無線端末情報通知要求手段、４２０−ａ，４２０−ｂ，…，４２０−ｎ；無線端末情報表示手段。
【図１】
2007306103.tif 000003
【図２Ａ】
2007306103.tif 000004
【図２Ｂ】
2007306103.tif 000005
【図３】
2007306103.tif 000006
【図４Ａ】
2007306103.tif 000007
【図４Ｂ】
2007306103.tif 000008